(57)【特許請求の範囲】
【請求項１】
グリップカバーとグリップベースとの間に回転板を回転可能に挟着支持し、回転板の回転によって可変抵抗器の抵抗値を変化させるようにした弾球発射装置のハンドル装置において、
前記可変抵抗器はスライド式可変抵抗器であり、このスライド式可変抵抗器を前記グリップベース又はグリップカバーに取付け、このスライド式可変抵抗器のツマミ部を摺動可能に挟着支持するツマミ支持部は、回転板の中心から外周に向けて設けられるとともに、一対の凸部と、この一対の凸部間に形成された溝とからなり、このツマミ支持部の溝にスライド式可変抵抗器のツマミ部が摺動可能に挿嵌され、回転板の回転に応じてツマミ部が溝に沿ってスライドすることによりスライド式可変抵抗器の抵抗値が変化するようにしたことを特徴とする弾球発射装置のハンドル装置。
【請求項２】
グリップカバーとグリップベースとの間に回転板を回転可能に挟着支持し、回転板の回転によって可変抵抗器の抵抗値を変化させるようにした弾球発射装置のハンドル装置において、
前記可変抵抗器はスライド式可変抵抗器であり、このスライド式可変抵抗器を前記回転板に取付け、このスライド式可変抵抗器のツマミ部を摺動可能に挟着支持するツマミ支持部は、グリップベース又はグリップカバーに前記回転板の中心から外周に向かう方向に設けられるとともに、一対の凸部と、この一対の凸部間に形成された溝とからなり、このツマミ支持部の溝にスライド式可変抵抗器のツマミ部が摺動可能に挿嵌され、回転板の回転に応じてツマミ部が溝に沿ってスライドすることによりスライド式可変抵抗器の抵抗値が変化するようにしたことを特徴とする弾球発射装置のハンドル装置。
【発明の詳細な説明】
【０００１】
【発明の属する技術分野】
本発明は、パチンコ機の弾球発射装置の操作用ハンドル装置に関し、詳しくは弾球槌を駆動するソレノイドに供給する電力を、可変抵抗器の抵抗値を変化させることにより制御し、弾球の飛距離を調整するハンドル装置に関する。
【０００２】
【従来の技術】
この種の弾球発射装置のハンドル装置としては、実公平５−３２１４９号公報に記載されたものがある。この公報に記載されたハンドル装置は、図４に示すような構造である。このハンドル装置では、パチンコ機のパチンコ台の前面枠５０に木ネジ１１により軸受カラー部１０が固定され、この軸受カラー部１０により支持軸１２が支持され、支持軸１２に回転板１３が回転可能に取付けられている。又、軸受カラー部１０には、グリップベース１５が取付けられ、グリップベース１５にグリップカバー１４が取付けられている。回転板１３は、グリップカバー１４及びグリップベース１５によって挟着支持されている。
【０００３】
このハンドル装置では、遊戯者が回転板１３を操作すると、それに伴って回転板１３の回転がリンク杆１６及び連結杆１７を介して回動軸１８に伝わる。回動軸１８の端部には、駆動ギヤ１９が固定され、更に図４には示していないが、駆動ギヤ１９に従動ギヤが歯合し、従動ギヤに取付けられた軸で可変抵抗器を回転操作するようになっている。従って、回動軸１８が回転すると、駆動ギヤ１９、従動ギヤ及び軸を介して可変抵抗器の抵抗値が変化し、それにより弾球の飛距離（勢い）を調整できる。
【０００４】
【発明が解決しようとする課題】
しかしながら、上記のようなハンドル装置では、次のような問題点▲１▼，▲２▼がある。
▲１▼回転板１３によって可変抵抗器を操作するのに、リンク杆１６、連結杆１７、回動軸１８、駆動ギヤ１９、従動ギヤ等の部品点数が多く、組立も煩雑でコストが高い。
▲２▼可変抵抗器を回転させるために回動軸１８、駆動ギヤ１９、従動ギヤ等を使用するので、それらの部品に高精度が要求されると共に、軸芯合せのために組立調整が難しい。
【０００５】
従って、本発明は、このような問題点に着目してなされたもので、部品点数及びコストを削減すると共に、組立を容易にする弾球発射装置のハンドル装置を提供することを目的とする。
【０００６】
【課題を解決するための手段】
前記目的を達成するために、本発明の請求項１記載の弾球発射装置のハンドル装置は、グリップカバーとグリップベースとの間に回転板を回転可能に挟着支持し、回転板の回転によって可変抵抗器の抵抗値を変化させるようにしたものにおいて、前記可変抵抗器がスライド式可変抵抗器であり、このスライド式可変抵抗器を前記グリップベース又はグリップカバーに取付け、このスライド式可変抵抗器のツマミ部を摺動可能に挟着支持するツマミ支持部が、回転板の中心から外周に向けて設けられるとともに、一対の凸部と、この一対の凸部間に形成された溝とからなり、このツマミ支持部の溝にスライド式可変抵抗器のツマミ部が摺動可能に挿嵌され、回転板の回転に応じてツマミ部が溝に沿ってスライドすることによりスライド式可変抵抗器の抵抗値が変化するようにしたことを特徴とする。
【０００７】
又、請求項２記載の弾球発射装置のハンドル装置は、グリップカバーとグリップベースとの間に回転板を回転可能に挟着支持し、回転板の回転によって可変抵抗器の抵抗値を変化させるようにしたものにおいて、前記可変抵抗器はスライド式可変抵抗器であり、このスライド式可変抵抗器を前記回転板に取付け、このスライド式可変抵抗器のツマミ部を摺動可能に挟着支持するツマミ支持部が、グリップベース又はグリップカバーに前記回転板の中心から外周に向かう方向に設けられるとともに、一対の凸部と、この一対の凸部間に形成された溝とからなり、このツマミ支持部の溝にスライド式可変抵抗器のツマミ部が摺動可能に挿嵌され、回転板の回転に応じてツマミ部が溝に沿ってスライドすることによりスライド式可変抵抗器の抵抗値が変化するようにしたことを特徴とする。
【０００８】
請求項１及び請求項２記載のハンドル装置では、いずれも従来のような回転式可変抵抗器の代わりにスライド式可変抵抗器を使用し、このスライド式可変抵抗器のツマミ部が回転板の回転に応じて移動するように構成してある。つまり、回転板の回転運動がツマミ部の直線運動に変換され、スライド式可変抵抗器の抵抗値が変化し、それにより弾球の飛距離を調整できる。
【０００９】
従って、可変抵抗器を操作するのに、回動軸やギヤ等の部品は不要となり、部品点数を削減でき、低コストになる。しかも、スライド式可変抵抗器のツマミ部を摺動可能に挟着支持するツマミ支持部を設ける等だけでよいため、回転軸やギヤ等の高精度を要求される部品がなく、軸芯合せの必要もないので、組立が容易となる。
【００１０】
【発明の実施の形態】
以下、本発明を実施の形態に基づいて説明する。
一実施形態に係る弾球発射装置のハンドル装置の要部断面図を図１に示す。但し、この実施形態のハンドル装置は、本発明を図４に示す従来のハンドル装置に適用したものであり、基本構造は同じなので、同一部品には同じ符号を付してある。
【００１１】
このハンドル装置では、前記と同様にパチンコ機のパチンコ台の前面枠５０に木ネジ１１により軸受カラー部１０が固定されている。この軸受カラー部１０の後端には、基板部２０に挿通したシャフト２１が支持軸１２の後端に形成した袋ナット部２２に螺着されることで、基板部２０が取付けられている。シャフト２１と同心上に支持された支持軸１２には、回転板１３が回転可能に装着されている。回転板１３は、軸受カラー部１０に取付けられたグリップベース１５と、このグリップベース１５に止着されたグリップカバー１４とにより、回転可能に挟着支持されている。グリップカバー１４及びグリップベース１５は、回転板１３に向かって開放する皿状を呈している。
【００１２】
グリップカバー１４は、回転板１３に形成された遊嵌口２４を挿通し、且つグリップベース１５に向かって突出する複数の脚２５，２６（２本のみ示す）を有する。それらの脚のうち、脚２５の先端には係止片２７が形成され、この係止片２７に対応して、グリップベース１５には脚係合部２８が形成されている。係止片２７と脚係合部２８を係合させることで、グリップベース１５に対するグリップカバー１４の正確な位置決めを行えるようになっている。一方、脚２６はグリップベース１５に設けた脚受部２９にネジ３０によって取付けられる。これにより、グリップカバー１４がグリップベース１５に固定される。
【００１３】
この実施形態の特徴部分を図２に拡大断面図で示すように、回転板１３のグリップベース１５側には、スライド式可変抵抗器４０のツマミ部４１を摺動可能に挟着支持するツマミ支持部３３が設けられている。ツマミ支持部３３は、断面矩形状の一条の凸部３３ａ，３３ｂと、この凸部３３ａ，３３ｂの間に形成された溝３３ｃとからなり、溝３３ｃにツマミ部４１が摺動可能に挿嵌されている。スライド式可変抵抗器４０は、グリップベース１５に突設されたスペーサを兼用する支柱３４にネジ３５により固定され、可変抵抗器４０の端子４２にはリード線４３が接続されている。リード線４３は、軸受カラー部１０に開けられた貫通孔３６に挿通され、ハンドル装置外部に取り出される（図１参照）。
【００１４】
このスライド式可変抵抗器４０の操作機構によると、図３において、ツマミ支持部３３は回転板１３の回転に伴い角度αの範囲で回転する。この角度αは、約９０°であり、これ以上の角度に設定しても余り意味がない。つまり、パチンコ機のハンドル装置を操作する場合、人間の手は９０°程度までは比較的抵抗なく回すことができるが、９０°以上回すとなると無理な力が加わるようになり、それに基づいて人間工学的にハンドル装置の回転可能角度も約９０°内に設定されているからである。従って、ツマミ支持部３３が角度αの範囲で回転するのに伴って、ツマミ部４１は、ツマミ支持部３３の溝３３ｃに沿ってスライドしつつ、上下方向（矢印方向）に移動する。これにより、スライド式可変抵抗器４０の抵抗値が変化し、弾球の飛距離（勢い）を調整できる。
【００１５】
なお、スライド式可変抵抗器４０の抵抗値を変えるのに、図３の位置Ａでの抵抗値を最大（弾球の飛距離を最小）としてもよいし、或いは抵抗値を最小（飛距離を最大）にしてもよい。勿論、それに応じて、位置Ｂでの抵抗値が最小又は最大になるように設定する。
因みに、上記した通り、ハンドル装置の回転可能な角度範囲は約９０°であるため、図４に示すような従来のハンドル装置の回転式可変抵抗器の操作機構では、通常の回転式可変抵抗器の抵抗値調整のための回転範囲である２５０〜３００°の範囲のうち、９０°程度しか利用しないことになり、回転式可変抵抗器の抵抗値調整性能を十分に活かすことができない。又は、回転式可変抵抗器の回転範囲を十分に活用するためには、駆動ギヤ１９、従動ギヤ等を使ってハンドル装置の回転角度を回転式可変抵抗器の回転まで拡大する必要があるが、上記のようなスライド式可変抵抗器の操作機構を採用することで、容易に可変抵抗器の抵抗値調整範囲を十分に活用できる。
【００１６】
上記のハンドル装置を組み立てるには、グリップベース１５にスライド式可変抵抗器４０を取付け、この可変抵抗器４０のツマミ部４１がツマミ支持部３３の溝３３ｃに嵌まるように、回転板１３をグリップベース１５とグリップカバー１４で挟着支持し、グリップカバー１４をグリップベース１５に固定すればよい。従って、従来のハンドル装置に比べて、部品点数が少なく、組立が容易であり、コストも掛からない。
【００１７】
なお、上記実施形態では、ツマミ支持部３３を回転板１３に設け、スライド式可変抵抗器４０をグリップベース１５に取付けているが、ツマミ支持部３３をグリップベース１５に設け、スライド式可変抵抗器４０を回転板１３に取付けても構わない。この場合は、可変抵抗器４０が回転板１３と共に移動し、ツマミ支持部３３が不動となる。又、スライド式可変抵抗器４０をグリップカバー１４に取付け、ツマミ支持部３３を回転板１３の図１とは反対側に設けたり、或いはツマミ支持部３３をグリップカバー１４に設け、これに対応してスライド式可変抵抗器４０を回転板１３に取付けたりしてもよい。更に、ツマミ支持部３３は回転板１３に一体に設けられているが、別部品として接着剤やネジ等により取付けてもよいし、ツマミ支持部３３を回転板１３、グリップカバー１４又はグリップベース１５に形成した溝のみで構成しても構わない。
【００１８】
【発明の効果】
本発明の請求項１及び請求項２記載のハンドル装置によれば、いずれも従来のような回転式可変抵抗器の代わりにスライド式可変抵抗器を使用し、このスライド式可変抵抗器のツマミ部が回転板の回転に応じて移動するように構成してあるので、つまり、回転板の回転運動がツマミ部の直線運動に変換され、スライド式可変抵抗器の抵抗値が変化し、それにより弾球の飛距離を調整できるので、下記の効果が得られる。
（１）スライド式可変抵抗器を操作するのに、回動軸やギヤ等の部品は不要であり、部品点数を削減でき、低コストになる。
（２）スライド式可変抵抗器のツマミ部を摺動可能に挟着支持するツマミ支持部を設ける等だけでよいため、回動軸やギヤ等の高精度を要求される部品がなく、軸芯合せの必要もないので、組立が容易となる。
（３）スライド式可変抵抗器の交換は、グリップカバーと回転板を外すだけで容易に行えるので、保守点検が容易である。
【図面の簡単な説明】
【図１】一実施形態に係るハンドル装置の要部断面図である。
【図２】図１のハンドル装置おけるスライド式可変抵抗器の操作機構を示す部分拡大断面図である。
【図３】図２に示す操作機構の作用原理を説明するための図である。
【図４】従来例に係るハンドル装置の要部断面図である。
【符号の説明】
１３    回転板
１４    グリップカバー
１５    グリップベース
３３    ツマミ支持部
４０    スライド式可変抵抗器
４１    ツマミ部
【図１】
0003827357.tif 000002
【図２】
0003827357.tif 000003
【図３】
0003827357.tif 000004
【図４】
0003827357.tif 000005